【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
レーザ光源と、前記レーザ光源からの光を光ディスク上に集光する対物レンズと、前記光ディスクからの反射光を検出する検出器とを備える光ヘッドにおいて、
前記光ディスクからの反射光のうち当該反射光の光束中心を含む内側光束を用いて第１の焦点ずれ信号と第１のトラッキングずれ信号を発生する手段と、前記光ディスクからの反射光のうち前記内側光束を取り囲む外側光束を用いて第２の焦点ずれ信号と第２のトラッキングずれ信号を発生する手段とを備え、
前記第１の焦点ずれ信号と第２の焦点ずれ信号の差に基づいて球面収差信号を発生し、前記第１のトラッキングずれ信号と第２のトラッキングずれ信号の差に基づいてコマ収差信号を発生することを特徴とする光ヘッド。
【請求項２】
レーザ光源と、前記レーザ光源からの光を光ディスク上に集光する対物レンズと、前記対物レンズによって集光される光スポットの焦点位置を移動する可変焦点手段と、光ディスクの記録トラックに光スポットを追従させるトラッキング手段と、光ディスクからの反射光を検出する光検出器と、前記光検出器の検出信号を用いて再生信号と焦点ずれ信号とトラッキングずれ信号を発生する演算回路とを含む光ヘッドにおいて、
前記反射光の光軸付近の光束を複数の部分光束に分割して前記光検出器に入射させると共に前記反射光の周辺部の光束を複数の部分光束に分割して前記光検出器に入射させる検出光分割素子を備え、
前記演算回路は、前記光軸付近の光束から派生した部分光束の検出信号に基づいて第１の焦点ずれ信号と第１のトラッキングずれ信号を発生し、前記周辺部の光束から派生した部分光束の検出信号に基づいて第２の焦点ずれ信号と第２のトラッキングずれ信号を発生し、前記第１及び第２の焦点ずれ信号の差信号により球面収差信号を、和信号により焦点ずれ信号を発生し、前記第１及び第２のトラッキングずれ信号の差信号によりコマ収差信号を、和信号によりトラッキングずれ信号を発生することを特徴とする光ヘッド。
【請求項３】
請求項２記載の光ヘッドにおいて、前記検出光分割素子は、円、前記円の中心を通り光ディスクの半径方向に相当する方向に平行な直線、及び前記円の中心を通り光ディスクの回転方向に相当する方向に平行な直線によって８つの領域に分割され、前記各領域の回折角又は回折方向がそれぞれ異なる回折格子あるいは偏光性回折格子であることを特徴とする光ヘッド。
【請求項４】
請求項３記載の光ヘッドにおいて、前記光検出器は、１つの基板上に設けられた複数の受光領域を有し、前記検出光分割素子の０次回折光検出信号から再生信号を発生し、±１次回折光検出信号から焦点ずれ信号とトラッキングずれ信号を発生することを特徴とする光ヘッド。
【請求項５】
レーザ光源と、前記レーザ光源からの光を光ディスク上に集光する対物レンズと、前記対物レンズによって集光される光スポットの焦点位置を移動する可変焦点手段と、光ディスクの記録トラックに光スポットを追従させるトラッキング手段と、前記対物レンズによって集光される光に可変の球面収差を付加する球面収差付加手段と、前記対物レンズによって集光される光に可変のコマ収差を付加するコマ収差付加手段と、光ディスクからの反射光を検出する光検出器と、前記光検出器の検出信号から再生信号と焦点ずれ信号とトラッキングずれ信号を発生する演算回路と、前記可変焦点手段、トラッキング手段、球面収差付加手段及びコマ収差付加手段を制御するサーボ制御手段とを含む情報再生装置において、
前記反射光の光軸付近の光束を複数の部分光束に分割して前記光検出器に入射させると共に前記反射光の周辺部の光束を複数の部分光束に分割して前記光検出器に入射させる検出光分割素子を備え、
前記演算回路は、前記光軸付近の光束から派生した部分光束の検出信号に基づいて第１の焦点ずれ信号及び第１のトラッキングずれ信号を発生し、前記周辺部の光束から派生した部分光束の検出信号に基づいて第２の焦点ずれ信号及び第２のトラッキングずれ信号を発生し、前記第１及び第２の焦点ずれ信号の差信号により球面収差信号を、和信号により焦点ずれ信号を発生し、前記第１及び第２のトラッキングずれ信号の差信号によりコマ収差信号を、和信号によりトラッキングずれ信号を発生し、
前記サーボ制御手段は、前記焦点ずれ信号により前記可変焦点手段を制御し、前記トラッキングずれ信号により前記トラッキング手段を制御し、前記球面収差信号により前記球面収差付加手段を制御し、前記コマ収差信号により前記コマ収差付加手段を制御することを特徴とする情報再生装置。
【請求項６】
レーザ光源と、前記レーザ光源からの光を光ディスク上に集光する対物レンズと、前記対物レンズによって集光される光スポットの焦点位置を移動する可変焦点手段と、光ディスクの記録トラックに光スポットを追従させるトラッキング手段と、前記対物レンズによって集光される光に可変の球面収差を付加する球面収差付加手段と、前記対物レンズによって集光される光に可変のコマ収差を付加するコマ収差付加手段と、光ディスクからの反射光を検出する光検出器と、前記光検出器の検出信号から再生信号と焦点ずれ信号とトラッキングずれ信号を発生する演算回路と、前記可変焦点手段、トラッキング手段、球面収差付加手段及びコマ収差付加手段を制御するサーボ制御手段と、記録信号で変調された信号によって前記レーザ光源を駆動するレーザ駆動回路とを含む情報記録再生装置において、
前記反射光の光軸付近の光束を複数の部分光束に分割して前記光検出器に入射させると共に前記反射光の周辺部の光束を複数の部分光束に分割して前記光検出器に入射させる検出光分割素子を備え、
前記演算回路は、前記光軸付近の光束から派生した部分光束の検出信号に基づいて第１の焦点ずれ信号及び第１のトラッキングずれ信号を発生し、前記周辺部の光束から派生した部分光束の検出信号に基づいて第２の焦点ずれ信号及び第２のトラッキングずれ信号を発生し、前記第１及び第２の焦点ずれ信号の差信号により球面収差信号を、和信号により焦点ずれ信号を発生し、前記第１及び第２のトラッキングずれ信号の差信号によりコマ収差信号を、和信号によりトラッキングずれ信号を発生し、
前記サーボ制御手段は、前記焦点ずれ信号により前記可変焦点手段を制御し、前記トラッキングずれ信号により前記トラッキング手段を制御し、前記球面収差信号により前記球面収差付加手段を制御し、前記コマ収差信号により前記コマ収差付加手段を制御することを特徴とする情報記録再生装置。
【請求項７】
対物レンズによって集光した光スポットを光ディスクの記録トラックに追従させるサーボ制御方法において、
前記光ディスクからの反射光のうち当該反射光の光束中心を含む内側光束を用いて第１の焦点ずれ信号と第１のトラッキングずれ信号を検出し、前記光ディスクからの反射光のうち前記内側光束を取り囲む外側光束を用いて第２の焦点ずれ信号と第２のトラッキングずれ信号を検出し、前記第１と第２の焦点ずれ信号の和信号により前記光スポットの焦点位置を制御し、前記第１と第２のトラッキングずれ信号の和信号により前記光スポットのトラッキング制御を行い、前記第１と第２の焦点ずれ信号の差に基づいて発生される球面収差信号により前記対物レンズによって集光される光に球面収差を付加し、前記第１と第２のトラッキングずれ信号の差に基づいて発生されるコマ収差信号により前記対物レンズによって集光される光にコマ収差を付加することを特徴とするサーボ制御方法。